(57)【要約】【課題】広告を視聴したユーザを店舗で把握する。【解決手段】表示装置１１は、商品の広告および当該商品を広告する広告主の店舗に提供することによりインセンティブが付与されるコード情報を含んで配信される配信情報を受信部２０により受信し、受信された配信情報に含まれる広告を表示部２１に表示し、受信された配信情報に含まれるコード情報を近距離通信部２２により読み取り可能に提供する。携帯型端末装置１２は、近距離通信部５３によりコード情報の読み取りおよび書き込みが可能とされ、提供されたコード情報を読み取る。店舗装置１３は、近距離通信部８１によりコード情報を受け付け、コード情報を受け付けた場合、インセンティブを付与する。【選択図】図１
2014075077.tif 000002
【特許請求の範囲】
【請求項１】
情報の読み取りが可能且つ情報の出力が可能な携帯型端末装置と、当該携帯型端末装置が出力する情報を受け付け可能な店舗装置とを備える広告システムにおいて、
前記携帯型端末装置は、
配信情報に含まれる商品の広告を表示する共に、当該配信情報に含まれる広告を識別可能なコード情報を出力する表示装置から、当該出力されたコード情報を読み取り保持する保持手段と、
前記店舗装置と通信可能な場合に、前記保持されたコード情報を出力する出力手段とを有し、
前記店舗装置は、
前記携帯型端末装置から出力された前記コード情報を受け付け、その受け付けた前記コード情報で識別される広告が所定の広告であるか否かを判定する判定手段と、
判定手段による判定の結果、所定の広告である場合、該携帯型端末装置のユーザにインセンティブを付与する付与手段とを有する
ことを特徴とする広告システム。
【請求項２】
前記コード情報は、有効期限が定められ、
前記付与手段は、前記有効期限までに前記コード情報が受け付けられた場合、インセンティブを付与する
ことを特徴とする請求項１に記載の広告システム。
【請求項３】
前記コード情報は、前記表示装置に広告が表示されている間、当該表示装置から出力される
ことを特徴とする請求項１または２に記載の広告システム。
【請求項４】
前記携帯型端末装置は、近距離通信により前記表示装置からコード情報を読み取る
ことを特徴とする請求項１〜３の何れか１つに記載の広告システム。
【請求項５】
前記広告は、前記店舗装置が設置された店舗が提供した広告である
ことを特徴とする請求項１〜４の何れか１つに記載の広告システム。
【請求項６】
広告は、所定の広告主のものであり、
前記店舗装置は、広告が予め定められた広告主の広告である場合に、インセンティブを付与する
ことを特徴とする請求項１〜４の何れか１つに記載の広告システム。
【請求項７】
前記携帯型端末装置は、決済手段を有し、当該決済手段を介して前記広告の商品の決済を店舗装置との間で行う際に、店舗装置は、前記携帯型端末装置からコード情報を受け付ける
ことを特徴とする請求項１〜６の何れか１つに記載の広告システム。
【請求項８】
情報の読み取りが可能且つ情報の出力が可能な携帯型端末装置と、当該携帯型端末装置が出力する情報を受け付け可能な店舗装置とを備える広告方法であって、
前記携帯型端末装置は、
配信情報に含まれる商品の広告を表示する共に、当該配信情報に含まれる広告を識別可能なコード情報を出力する表示装置から、当該出力されたコード情報を読み取り保持し、
前記店舗装置と通信可能な場合に、前記保持されたコード情報を出力し、
前記店舗装置は、
前記携帯型端末装置から出力された前記コード情報を受け付け、その受け付けた前記コード情報で識別される広告が所定の広告であるか否かを判定し、
判定の結果、所定の広告である場合、該携帯型端末装置のユーザにインセンティブを付与する
ことを特徴とする広告方法。
【発明の詳細な説明】
【技術分野】
【０００１】
本発明は、広告システムおよび広告方法に関する。
【背景技術】
【０００２】
従来より、テレビ等のマスメディアを通じてＣＭやテレビ番組の放送コンテンツにより様々な商品が宣伝されている。そして、ユーザが、放送コンテンツで欲しい商品があれば、購入希望を送信して電子マネー決済を行うことにより購入可能とする技術が提案されている（例えば、特許文献１、２）。
【先行技術文献】
【特許文献】
【０００３】
【特許文献１】特開２００８−３０５０６９号公報
【特許文献２】特開２０１１−１５０５８１号公報
【発明の概要】
【発明が解決しようとする課題】
【０００４】
ところで、放送コンテンツ上の商品を購入した場合、配達された実物の商品が好まなく返品してしまうこともあり、実物を見てから商品を購入したいというユーザも多い。しかし、実物の商品を扱う店舗にユーザが出向いて商品を購入した場合、店舗は、放送コンテンツでの広告の効果による商品の購買であるか否かを把握することが困難である。そこで、例えば、ユーザが番組の広告を見たことを口頭で店舗に伝えることで割引を受ける人為的なサービスもある。しかし、ユーザが本当に番組の広告を見たかどうかの確証がなく、店舗は、不当に価格を割引してしまう場合もある。
【０００５】
本願は、上記に鑑みてなされたものであって、広告を視聴して来店したユーザを店舗で確実に把握することができる広告システムおよび広告方法を提供することを目的とする。
【課題を解決するための手段】
【０００６】
本願に係る広告システムは、情報の読み取りが可能且つ情報の出力が可能な携帯型端末装置と、当該携帯型端末装置が出力する情報を受け付け可能な店舗装置とを備える広告システムにおいて、前記携帯型端末装置は、配信情報に含まれる商品の広告を表示する共に、当該配信情報に含まれる広告を識別可能なコード情報を出力する表示装置から、当該出力されたコード情報を読み取り保持する保持手段と、前記店舗装置と通信可能な場合に、前記保持されたコード情報を出力する出力手段とを有し、前記店舗装置は、前記携帯型端末装置から出力された前記コード情報を受け付け、その受け付けた前記コード情報で識別される広告が所定の広告であるか否かを判定する判定手段と、判定手段による判定の結果、所定の広告である場合、該携帯型端末装置のユーザにインセンティブを付与する付与手段とを有することを特徴とする。
【発明の効果】
【０００７】
本願に係る広告システムは、広告を視聴して来店したユーザを確実に店舗で把握することができる。
【図面の簡単な説明】
【０００８】
【図１】図１は、第１の実施形態に係るシステムの全体構成を模式的に示した図である。
【図２】図２は、第１の実施形態に係る表示装置の機能的な構成の一例を示す図である。
【図３】図３は、第１の実施形態に係る携帯型端末装置の機能的な構成の一例を示す図である。
【図４】図４は、第１の実施形態に係る選択画面の一例を示す図である。
【図５】図５は、第１の実施形態に係る店舗装置の機能的な構成の一例を示す図である。
【図６】図６は、第１の実施形態に係るインセンティブ情報のデータ構成の一例を示す図である。
【図７】図７は、第１の実施形態に係るシステムにより広告を配信し、広告を見たユーザが商品を購入する際の処理の流れを示すシーケンス図である。
【図８】図８は、第２の実施形態に係る携帯型端末装置の機能的な構成の一例を示す図である。
【発明を実施するための形態】
【０００９】
以下に、本発明に係る広告システムおよび広告方法を実施するための形態（以下、「実施形態」と呼ぶ）について図面を参照しつつ詳細に説明する。なお、この実施形態によりこの発明が限定されるものではない。
【００１０】
（第１の実施形態）
［１−１．システム構成］
第１の実施形態について説明する。図１は、第１の実施形態に係るシステムの全体構成を模式的に示した図である。図１に示すように、システム１０は、表示装置１１と、携帯型端末装置１２と、店舗装置１３とを有する。なお、図１の例では、システム１０は、表示装置１１、携帯型端末装置１２および店舗装置１３を１つずつ有する場合を例示したが、開示のシステムはこれに限定されず、表示装置１１、携帯型端末装置１２および店舗装置１３を任意の数とすることができる。
【００１１】
表示装置１１は、配信（放送を含む）される情報を表示する装置であり、例えば、テレビや、街頭等で広告を表示するデジタルサイネージ（電子看板）などである。表示装置１１には、各種の情報が配信される。例えば、表示装置１１には、商品の広告および当該商品を広告する広告主の店舗に提供することによりインセンティブが付与されるコード情報を含んだ配信情報が配信される。表示装置１１への情報の配信は、有線であってもよく、無線であってもよい。例えば、表示装置１１がテレビの場合、電波を利用した放送として配信情報が配信される。表示装置１１は、配信情報に含まれる広告を表示する。また、表示装置１１は、ＮＦＣ（Near  Field  Communication）などの近距離無線通信を行う近距離通信部２２を内蔵しており、配信情報に含まれるコード情報を近距離無線通信部で読み取り可能に提供する。コード情報は、例えば、キャンペーンコードやクーポンコードなど、店舗に提供することによりインセンティブが付与される情報である。なお、配信情報には、キャンペーン名やクーポン名などのコード情報の名称や有効期限などが付加されてもよい。
【００１２】
携帯型端末装置１２は、ユーザが携帯して保持する端末装置である。例えば、携帯型端末装置１２は、携帯電話機、スマートフォン、ＰＤＡ（Personal  Digital  Assistant）等である。携帯型端末装置１２も、ＮＦＣなどの近距離無線通信を行う近距離通信部５３を内蔵しており、表示装置１１からコード情報の読み取りが可能とされている。
【００１３】
店舗装置１３は、店舗に配置された装置であり、例えば、店舗の会計処理を行うＰＯＳ（Point  Of  Sales）端末である。なお、店舗装置１３は、デスクトップ型ＰＣ、タブレット型ＰＣ、ノート型ＰＣなどの情報処理装置であってもよい。店舗装置１３も、ＮＦＣなどの近距離無線通信を行う近距離通信部８１を内蔵しており、コード情報の読み取りおよび書き込みが可能とされている。店舗では、コード情報を用いたサービスを提供する。コード情報を用いたサービスとしては、例えば、ポイントの付与や価格の割引などのインセンティブの提供が挙げられる。本実施形態では、コード情報を店舗装置１３に設けられた近距離通信部８１で読み取ることにより、割引を行う場合を例に説明する。
【００１４】
ユーザは、表示装置１１に表示された広告を参照し、表示された商品の購入を希望する場合、表示装置１１の近距離通信部２２に携帯型端末装置１２の近距離通信部５３を通信可能なように近接または接触させて、携帯型端末装置１２により表示装置１１からコード情報を読み取らせる。そして、ユーザは、広告主の店舗を訪問して商品を購入する。この際、ユーザは、店舗装置１３の近距離通信部８１により携帯型端末装置１２の近距離通信部５３からコード情報を読み取らせて割引などのインセンティブの提供を受ける。店舗は、店舗装置１３により、携帯型端末装置１２からコード情報を読み取ることにより、広告を視聴したユーザを把握することができる。なお、広告を行う広告主と店舗を営む事業主は、異なる場合がある。例えば、電気メーカなどが広告主となって広告を行い、広告を行った商品を扱う量販店などの各種の店舗の店舗装置１３において携帯型端末装置１２からコード情報を読み取り、広告を視聴したユーザを把握してインセンティブを提供する場合もある。よって、広告は、店舗装置１３が設置された店舗が提供した広告であってもよく、店舗を営む事業主とは異なる広告主が提供した広告であってもよい。
【００１５】
［１−２．表示装置、携帯型端末装置および店舗装置の構成］
次に、第１の実施形態に係る表示装置１１、携帯型端末装置１２および店舗装置１３についてさらに詳細に説明する。最初に表示装置１１の構成について説明する。図２は、第１の実施形態に係る表示装置の機能的な構成の一例を示す図である。
【００１６】
図２に示すように、表示装置１１は、受信部２０と、表示部２１と、近距離通信部２２と、制御部２３とを有する。
【００１７】
受信部２０は、外部から配信される情報を受信するデバイスである。受信部２０は、図示しないアンテナに接続され、アンテナを介して放送を受信する。また、受信部２０は、アンテナを介して放送として配信される配信情報を受信する。例えば、受信部２０は、商品の広告、当該商品を広告する広告主の店舗に提供することによりインセンティブが付与されるコード情報を含んで配信される配信情報を受信する。コード情報には、コード情報の名称が付加されている。
【００１８】
表示部２１は、各種情報を表示する表示デバイスである。表示部２１としては、ＬＣＤ（Liquid  Crystal  Display）やＣＲＴ（Cathode  Ray  Tube）などの表示デバイスが挙げられる。表示部２１は、各種情報を表示する。例えば、表示部２１は、放送として配信される映像などのコンテンツを表示する。また、表示部２１は、放送として配信される配信情報にふくまれる広告を表示する。
【００１９】
近距離通信部２２は、近距離無線通信を行うデバイスである。近距離通信部２２は、ＮＦＣなどの近距離無線通信に対応したＩＣ（Integrated  Circuit）チップが搭載され、ＩＣチップを用いて近距離無線通信に対応した他のデバイスと通信を行い、各種のデータを送受信する。例えば、近距離通信部２２は、配信情報に含まれるコード情報、コード情報の名称を読み取り可能に提供しており、携帯型端末装置１２の近距離通信部５３が接近して通信可能となった場合、コード情報を出力する。
【００２０】
制御部２３は、表示装置１１を制御するデバイスである。例えば、制御部２３としては、ＣＰＵ（Central  Processing  Unit）やＭＰＵ（Micro  Processing  Unit）等の電子回路や、ＡＳＩＣ（Application  Specific  Integrated  Circuit）やＦＰＧＡ（Field  Programmable  Gate  Array）等の集積回路を採用できる。制御部２３は、各種の処理手順を規定したプログラムや制御データを格納するための内部メモリを有し、これらによって種々の処理を実行する。制御部２３は、各種のプログラムが動作することにより各種の処理部として機能する。例えば、制御部２３は、分離部３０と、表示制御部３１と、近距離通信制御部３２とを有する。
【００２１】
分離部３０は、各種の分離を行う。例えば、分離部３０は、配信された配信情報から広告データと、コード情報とを分離する。
【００２２】
表示制御部３１は、表示部２１の表示を制御する。例えば、表示制御部３１は、分離部３０により分離された広告データの広告を表示部２１に表示させる制御を行う。
【００２３】
近距離通信制御部３２は、近距離通信部２２を制御する。例えば、表示制御部３１は、分離部３０により分離されたコード情報を近距離通信部２２にセットし、コード情報を外部から読み取り可能なように近距離通信部２２を制御する。これにより、近距離通信部２２は、コード情報を読み取り可能に提供する。ここで、近距離通信部２２は、表示部２１に広告が表示されている間、その広告に対応するコード情報を読み取り可能に提供するようにしてもよい。例えば、コード情報が広告を表示される期間だけ配信される場合、近距離通信制御部３２は、コード情報が配信される間、コード情報を近距離通信部２２にセットする。一方、配信される番組内で広告が続けて行われ、それぞれの広告の最初のタイミングでコード情報が配信される場合、近距離通信制御部３２は、次のコード情報が配信される、または番組が終了するまで、配信されたコード情報を近距離通信部２２にセットする。
【００２４】
次に携帯型端末装置１２の構成について説明する。図３は、第１の実施形態に係る携帯型端末装置の機能的な構成の一例を示す図である。
【００２５】
図３に示すように、携帯型端末装置１２は、表示部５０と、操作入力部５１と、通信Ｉ／Ｆ（インタフェース）部５２と、近距離通信部５３と、記憶部５４と、制御部５５とを有する。なお、近距離通信部５３が本発明の保持手段および出力手段に対応する。
【００２６】
表示部５０は、各種情報を表示する表示デバイスである。表示部５０としては、ＬＣＤなどの表示デバイスが挙げられる。表示部５０は、各種情報を表示する。例えば、表示部５０は、店舗で使用するコード情報を選択する選択画面を表示する。
【００２７】
操作入力部５１は、各種の情報を入力する入力デバイスである。例えば、操作入力部５１としては、携帯型端末装置１２に設けられた各種のボタンや、表示部５０上に設けられた透過型のタッチセンサなどの入力デバイスが挙げられる。なお、図３の例では、機能的な構成を示したため、表示部５０と操作入力部５１を別に分けているが、例えば、タッチパネルなど表示部５０と操作入力部５１を一体的に設けたデバイスで構成してもよい。また、操作入力部５１は、キーボード、マウスなどであってもよい。操作入力部５１は、ユーザからの操作入力を受け付け、受け付けた操作内容を示す操作情報を制御部５５に入力する。
【００２８】
通信Ｉ／Ｆ部５２は、ＮＩＣ（Network  Interface  Card）等のインタフェースである。通信Ｉ／Ｆ部５２は、ネットワークを介した他の装置との間で各種のデータを送受信する。
【００２９】
近距離通信部５３は、近距離無線通信を行うデバイスである。近距離通信部５３は、ＮＦＣなどの近距離無線通信に対応したＩＣチップを搭載され、ＩＣチップを用いて近距離無線通信に対応した他のデバイスと通信を行い、各種のデータを送受信する。例えば、近距離通信部５３は、コード情報の読み取りおよび書き込みが可能とされており、表示装置１１の近距離通信部２２から提供されたコード情報を読み取り、読み取ったコード情報を保持する。また、近距離通信部５３は、店舗装置１３の後述する近距離通信部８１と通信可能な場合に、保持されたコード情報を出力する。
【００３０】
記憶部５４は、各種情報を記憶するデバイスである。例えば、記憶部５４としては、ＲＡＭ（Random  Access  Memory）、フラッシュメモリなどの半導体メモリ素子や、ハードディスク、光ディスクなどの記憶装置が挙げられる。
【００３１】
記憶部５４は、制御部５５で実行されるＯＳ（Operating  System）や各種プログラム、各種データを記憶する。
【００３２】
制御部５５は、携帯型端末装置１２を制御するデバイスである。例えば、制御部５５としては、ＣＰＵやＭＰＵ等の電子回路や、ＡＳＩＣやＦＰＧＡ等の集積回路を採用できる。制御部５５は、各種の処理手順を規定したプログラムや制御データを格納するための内部メモリを有し、これらによって種々の処理を実行する。制御部５５は、各種のプログラムが動作することにより各種の処理部として機能する。例えば、制御部５５は、受付部７０と、読取コード制御部７１とを有する。
【００３３】
受付部７０は、各種の受付を行う。例えば、受付部７０は、近距離通信部５３に保持されたコード情報から使用するコード情報を選択する選択画面を表示部５０に表示させ、選択画面から使用するコード情報の指定を受け付ける。
【００３４】
図４は、第１の実施形態に係る選択画面の一例を示す図である。図４に示すように、選択画面７５には、近距離通信部５３に保持されたコード情報の名称を記載したボタン７６が表示され、ボタン７６を選択することにより、使用するコード情報を指定することが可能とされている。図４の例では、コード情報として「ＸＸクーポン」と「△△キャンペーン」とが選択可能とされている。ユーザは、選択画面７５から店舗で使用するコード情報の選択を行う。
【００３５】
読取コード制御部７１は、店舗において読み取り可能とするコード情報の制御を行う。例えば、読取コード制御部７１は、選択画面７５でコード情報が指定されると、指定されたコード情報を外部から読み取り可能なように近距離通信部５３を制御する。店舗装置１３は、このように読み取り可能とされたコード情報を近距離通信部８１により読み取る。
【００３６】
次に店舗装置１３の構成について説明する。図５は、第１の実施形態に係る店舗装置の機能的な構成の一例を示す図である。図５に示すように、店舗装置１３は、バーコードリーダ８０と、近距離通信部８１と、記憶部８２と、制御部８３とを有する。なお、近距離通信部８１が本発明の受付手段に対応する。
【００３７】
バーコードリーダ８０は、商品コードを読み取るインタフェースである。例えば、バーコードリーダ８０は、商品に付されたバーコードに記録された商品コードを読み取ることにより、ユーザが購入する商品の商品コードを読み取る。
【００３８】
近距離通信部８１は、近距離無線通信を行うデバイスである。近距離通信部８１は、ＮＦＣなどの近距離無線通信に対応したＩＣチップを搭載され、ＩＣチップを用いて近距離無線通信に対応した他のデバイスと通信を行い、各種のデータを送受信する。例えば、近距離通信部８１は、携帯型端末装置１２の近距離通信部５３からコード情報を受け付ける
。
【００３９】
記憶部８２は、各種情報を記憶するデバイスである。例えば、記憶部８２としては、ＲＡＭ、フラッシュメモリなどの半導体メモリ素子や、ハードディスク、光ディスクなどの記憶装置が挙げられる。
【００４０】
記憶部８２は、制御部８３で実行されるＯＳや、広告の配信および課金に用いる各種プログラムを記憶する。さらに、記憶部８２は、各種情報を記憶する。例えば、記憶部８２は、商品マスタデータ９０と、インセンティブ情報９１とを記憶する。
【００４１】
商品マスタデータ９０は、商品に関するマスタデータを記憶したデータである。例えば、商品マスタデータ９０は、商品の商品コードに対応付けて商品名や価格などが記憶されている。
【００４２】
インセンティブ情報９１は、店舗で利用可能なキャンペーンやクーポンなどのインセンティブに関する情報を記憶したデータである。例えば、インセンティブ情報９１には、キャンペーンやクーポンとして提供されるコード情報、キャンペーンやクーポンの名称、有効期限、割引率を記憶したデータである。例えば、商品マスタデータ９０は、商品の商品コードに対応付けて商品名や価格が記憶されている。
【００４３】
図６は、第１の実施形態に係るインセンティブ情報のデータ構成の一例を示す図である。図６に示したインセンティブ情報９１には、名称、コード情報、有効期限、対象商品、割引率を記憶する領域が設けられている。インセンティブ情報９１の名称の領域は、コード情報の名称が格納され、コード情報の領域は、コード情報のデータが格納され、有効期限の領域は、コード情報の有効期限が格納され、対象商品の領域は、割引対象の商品が格納され、割引率の領域は、コード情報による割引率が格納される。図６の例では、「ＸＸクーポン」のコード情報がコード情報ａであり、対象商品の領域が商品Ａであり、有効期限が２０１２年１２月３１日までであり、割引率が５％であることを示す。
【００４４】
制御部８３は、店舗装置１３を制御するデバイスである。例えば、制御部８３としては、ＣＰＵやＭＰＵ等の電子回路や、ＡＳＩＣやＦＰＧＡ等の集積回路を採用できる。制御部８３は、各種の処理手順を規定したプログラムや制御データを格納するための内部メモリを有し、これらによって種々の処理を実行する。制御部８３は、各種のプログラムが動作することにより各種の処理部として機能する。例えば、会計処理部１００と、判定部１０１と、付与部１０２とを有する。
【００４５】
会計処理部１００は、会計処理を行う。例えば、会計処理部１００は、商品マスタデータ９０に基づいて、バーコードリーダ８０により読み取られた商品コードから商品名や価格を求めて会計を行う。
【００４６】
判定部１０１は、コード情報に関する各種の判定を行う。例えば、判定部１０１は、近距離通信部８１でコード情報を受け付けた場合、受け付けたコード情報がインセンティブを付与する正常なコード情報か否か判定する。判定部１０１は、例えば、受け付けたコード情報がインセンティブ情報９１に登録されているか否か判定する。
【００４７】
また、判定部１０１は、コード情報が有効期限以内であるか否かを判定する。例えば、判定部１０１は、コード情報がインセンティブ情報９１に登録されている場合、有効期限以内であるか否かを判定する。
【００４８】
付与部１０２は、各種のインセンティブの付与を行う。例えば、付与部１０２は、判定部１０１により正常なコード情報と判定され、かつ、有効期限以内である場合、割引対象の商品の金額から割引率の割引を行う。
【００４９】
このように、店舗装置１３は、表示装置１１で広告と共に読み取り可能とされたコード情報を携帯型端末装置１２から読み取ることにより、ユーザが広告を視聴したことを店舗で把握することができる。また、店舗装置１３は、広告を視聴したユーザを確認して割引を行うことができるため、広告を視聴していないユーザに対して不当に価格を割引してしまうことを抑制できる。また、システム１０は、店舗装置１３により広告を視聴したユーザを確認できるため、広告によりどのようなユーザが店舗を訪れて商品を購入するかなど広告の効果を把握できる。システム１０は、このように広告によりどのようなユーザが店舗を訪れて商品を購入するかを把握できるため、有効な広告を行うための戦略の立案に用いることができる。
【００５０】
［１−３．作用］
次に、本実施形態に係るシステム１０の作用について説明する。図７は、第１の実施形態に係るシステムにより広告を配信し、広告を見たユーザが商品を購入する際の処理の流れを示すシーケンス図である。
【００５１】
表示装置１１には、アンテナを介して商品の広告、当該商品に関してインセンティブが付与されるコード情報を含んだ配信情報が配信される（Ｓ１０）。表示装置１１は、配信情報が配信されると、配信された配信情報から広告データと、コード情報とを分離する（Ｓ１１）。そして、表示装置１１は、分離された広告データの広告を表示部２１に表示させ（Ｓ１２）、また、分離されたコード情報を近距離通信部２２から読み取り可能に提供する（Ｓ１３）。
【００５２】
ユーザは、表示装置１１に表示された広告を参照し、表示された商品の購入を希望する場合、表示装置１１の近距離通信部２２に携帯型端末装置１２の近距離通信部５３を近接または接触させる。これにより、携帯型端末装置１２は、表示装置１１からコード情報を読み取る（Ｓ１４）。このように、携帯型端末装置１２は、表示装置１１に実際に接触させるような動作によってコード情報の取得することが可能であるため、携帯型端末装置１２を所持するユーザが広告を視聴している確実性が増す。
【００５３】
ユーザは、広告主の店舗を訪問し、商品を購入する際、携帯型端末装置１２から利用するコード情報を選択する（Ｓ１５）。そして、ユーザは、店舗装置１３の近距離通信部８１に携帯型端末装置１２の近距離通信部５３を近接または接触させる。これにより、店舗装置１３は、携帯型端末装置１２からコード情報を読み取る（Ｓ１６）。店舗装置１３の判定部１０１は、読み取ったコード情報が有効であるか否か判定を行う（Ｓ１７）。判定部１０１は、例えば、インセンティブ情報９１に登録されているか否か、および、有効期限以内であるか否かを判定する。そして、付与部１０２は、コード情報が有効である場合、割引対象の商品の金額から割引率の割引を行う（Ｓ１８）。
【００５４】
［１−４．効果］
このように、システム１０では、表示装置１１が、商品の広告および当該商品を広告する広告主の店舗に提供することによりインセンティブが付与されるコード情報を含んで配信される配信情報を受信し、受信された配信情報に含まれる広告を表示し、受信された配信情報に含まれるコード情報を読み取り可能に提供する。また、携帯型端末装置１２が、表示装置１１からコード情報を読み取って保持し、店舗装置１３と通信可能な場合に、保持されたコード情報を出力する。そして、店舗装置１３が、携帯型端末装置１２から出力されたコード情報を受け付け、その受け付けたコード情報で識別される広告が所定の広告であるか否かを判定し、判定の結果、所定の広告である場合、該携帯型端末装置のユーザにインセンティブを付与する。これにより、システム１０は、広告を視聴して来店したユーザを確実に店舗で把握することができる。
【００５５】
また、コード情報は、有効期限が定められ、店舗装置１３は、有効期限までにコード情報が書き込まれた場合、インセンティブを付与する。これにより、システム１０は、古い広告のコード情報によりインセンティブを付与することを防止できる。
【００５６】
また、表示装置１１は、広告を表示されている間、コード情報を読み取り可能に提供する。携帯型端末装置１２は、近距離通信により表示装置１１からコード情報を読み取る。これにより、システム１０は、広告を見ているユーザにコード情報を提供できる。
【００５７】
（第２の実施形態）
次に、第２の実施形態について説明する。第２の実施形態に係るシステム１０、表示装置１１、携帯型端末装置１２の構成は、図１に示した第１の実施形態に係るシステム１０、表示装置１１、携帯型端末装置１２と同一であるため、説明を省略する。
【００５８】
［２−１．携帯型端末装置および店舗装置の構成］
図８は、第２の実施形態に係る携帯型端末装置の機能的な構成の一例を示す図である。第２の実施形態に係る携帯型端末装置１２の構成は、図２に示した第１の実施形態に係る携帯型端末装置１２と略同一であるため、主に異なる部分について説明する。
【００５９】
図８に示すように、近距離通信部５３は、貨幣価値をデジタルデータとして記憶した電子マネー情報をさらに保持する。なお、電子マネー情報は、プリペイド型、ポストペイド型の何れでもよい。近距離通信部５３は、電子マネー情報として記憶された電子マネーにより決済を行う際に、電子マネー情報と共にコード情報を出力する。なお、近距離通信部５３が本発明の決済手段に対応する。
【００６０】
ユーザは、広告の商品の決済を店舗装置との間で行う際に、店舗装置１３の近距離通信部８１に携帯型端末装置１２の近距離通信部５３を近接または接触させる。これにより、店舗装置１３は、近距離通信部８１と携帯型端末装置１２の近距離通信部５３とが電子マネーに関して通信を行い、電子マネーによる決済を行う。また、携帯型端末装置１２は、広告の商品の決済を店舗装置との間で行う際に、近距離通信部８１により携帯型端末装置１２の近距離通信部５３からコード情報を受け付け、受け付けたコード情報が有効かつ有効期限以内である場合、広告の商品について割引などのインセンティブの付与を行う。
【００６１】
［２−２．効果］
このように、システム１０では、携帯型端末装置１２が、近距離通信部５３により決済が可能とされている。近距離通信部５３を介して広告の商品の決済を店舗装置１３との間で行う際に、店舗装置１３は、携帯型端末装置１２からコード情報を受け付ける。これにより、システム１０は、広告の商品の決済時にインセンティブの付与を行うことができる。
【００６２】
［３．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００６３】
例えば、上記の実施形態では、有効なコード情報を店舗装置１３に記憶させる場合について説明したが、本発明はこれに限定されない。例えば、有効なコード情報の判定規則を店舗装置１３に記憶させ、店舗装置１３は、受信したコード情報が判定規則に合うコードであるか否かを判定するものとしてもよい。
【００６４】
また、上記の実施形態では、割引の対象の商品や割引率、有効期間を店舗装置１３に記憶させる場合について説明したが、本発明はこれに限定されない。例えば、割引の対象の商品や割引率、有効期間をコード情報に付加して近距離無線により表示装置１１から携帯型端末装置１２を介して店舗装置１３へ送るものとしてもよい。これにより、店舗装置１３は、割引の対象の商品や割引率、有効期間をインセンティブ情報９１に予め記憶しなくても、コード情報のみで商品の割引を行うことができる。
【００６５】
また、上記の実施形態では、携帯型端末装置１２において、表示装置１１から読み取ったコード情報を近距離通信部５３に記憶させ、使用するコード情報を選択画面７５から選択する場合について説明したが、本発明はこれに限定されない。例えば、携帯型端末装置１２の近距離通信部５３に記憶させて全てのコード情報を読み取り可能とし、店舗装置１３が全てのコード情報を読み取って各コード情報が有効か否かを判定してもよい。また、例えば、コード情報に対象とする店舗に関する店舗情報を含め、店舗装置１３が自店舗に関するコード情報のみを読み取るようにしてもよい。
【００６６】
また、上記の実施形態では、表示装置１１から広告に関するコード情報を携帯型端末装置１２が読み取り、店舗装置１３が携帯型端末装置１２からコード情報を読み取る場合について説明したが、本発明はこれに限定されない。例えば、携帯型端末装置１２や店舗装置１３がコード情報と共にその他の情報を読み取ってもよい。例えば、携帯型端末装置１２がユーザの年齢、性別、住所などのユーザに関する情報を記憶し、店舗装置１３がコード情報と共にユーザに関する情報を読み取ってもよい。店舗装置１３が読み取るユーザに関する情報は、性別や年齢など一部の情報であってもよい。また、この店舗装置１３へ提供するユーザに関する情報を指定する指定情報をコード情報に含めさせ、携帯型端末装置１２が指定情報で指定されたユーザに関する情報をコード情報と共に読み取り可能とし、店舗装置１３が指定情報で指定されたユーザに関する情報をコード情報と共に読み取るものとしてもよい。これにより、システム１０は、どのようなユーザが広告を視聴して来店したか把握できるため、広告の効果を検証でき、以降、ターゲットをより明確にして広告を行うことができる。
【００６７】
また、特許請求の範囲に記載した「手段」は、「部（section、module、unit）」や「回路」などに読み替えることができる。例えば、検索手段は、検索部や検索回路に読み替えることができる。
【符号の説明】
【００６８】
１０  システム
１１  表示装置
１２  携帯型端末装置
１３  店舗装置
２０  受信部
２１  表示部
２２  近距離通信部
２３  制御部
３２  近距離通信制御部
５３  近距離通信部
５４  記憶部
５５  制御部
７０  受付部
７１  読取コード制御部
８１  近距離通信部
８２  記憶部
８３  制御部
９１  インセンティブ情報
１００  会計処理部
１０１  判定部
１０２  付与部
【図１】
2014075077.tif 000003
【図２】
2014075077.tif 000004
【図３】
2014075077.tif 000005
【図４】
2014075077.tif 000006
【図５】
2014075077.tif 000007
【図６】
2014075077.tif 000008
【図７】
2014075077.tif 000009
【図８】
2014075077.tif 000010